(57)【特許請求の範囲】
【請求項１】
先部材内に芯ホルダーを内蔵し、芯ホルダーの後部に拡開部材を長手方向に摺動可能に配置し、この拡開部材をスプリングにより長手方向後方に付勢するとともに、チャックと、チャックに外嵌される締具と、締具を受ける連結具と、チャックを長手方向後方に付勢するチャックスプリングとを有して機構部を構成し、前記機構部をチャックスプリングの取付荷重より小さい取付荷重のリターンスプリングにより長手方向後方に付勢するとともに機構部を解除可能な固定手段を設け、更に、前記芯ホルダーに弾性片を形成し、この弾性片により適度の力で芯を保持し、機構部を固定状態にしてチャックを前進させることにより芯を繰り出すとともに、解除状態にして機構部を前進させることにより機構部で拡開部材を押圧して前進させ、拡開部材により芯ホルダーの弾性片を拡開することによりチャックに保持されない短くなった残芯を排出することを特徴とするシャープペンシル。
【発明の詳細な説明】
【技術分野】
【０００１】
本発明は、チャックで保持することができなくなった残芯を簡単に排出することができるシャープペンシルに関する。
【背景技術】
【０００２】
従来、チャックの頭部を前テーパー部と後テーパー部とにより構成し、適宜の位置に貫通窓を有したガイドパイプに中駒を固着し、口金内には前締リングと芯ホルダーを構成し、芯ホルダーは中駒を固着したガイドパイプの貫通窓より凹入して芯を保持するとともに、口金と中駒との間に設けた芯ホルダーのガイドパイプ保持力より強い弾発力のリターンスプリングにより、中駒をチャックの前端に当接して構成したノック式シャープペンシルが知られている。（特許文献１参照）
【０００３】
しかしながら、上記ノック式シャープペンシルは、芯ホルダーが摩耗してしまう恐れがあるとともに、次の芯も排出されてしまう恐れがあった。
【先行技術文献】
【特許文献】
【０００４】
【特許文献１】実開昭５５−１０７２６号公報
【発明の概要】
【発明が解決しようとする課題】
【０００５】
解決しようとする問題点は、芯ホルダーがガイドパイプに擦られて摩耗してしまう点と、残芯を排出する時に次の芯が排出してしまう点である。
【課題を解決するための手段】
【０００６】
本発明は、先部材内に芯ホルダーを内蔵し、芯ホルダーの後部に拡開部材を長手方向に摺動可能に配置し、この拡開部材をスプリングにより長手方向後方に付勢するとともに、チャックと、チャックに外嵌される締具と、締具を受ける連結具と、チャックを長手方向後方に付勢するチャックスプリングとを有して機構部を構成し、前記機構部をチャックスプリングの取付荷重より小さい取付荷重のリターンスプリングにより長手方向後方に付勢するとともに機構部を解除可能な固定手段を設け、更に、前記芯ホルダーに弾性片を形成し、この弾性片により適度の力で芯を保持し、機構部を固定状態にしてチャックを前進させることにより芯を繰り出すとともに、機構部を解除状態にして機構部を前進させることにより機構部で拡開部材を押圧して前進させ、拡開部材により芯ホルダーの弾性片を拡開することによりチャックに保持されない短くなった残芯を排出することを特徴とする。
【発明の効果】
【０００７】
本発明は、チャックに保持されない短くなった残芯を簡単に排出することができるとともに、芯ホルダーの耐久性を向上し、更に、残芯を排出する時に次の芯が排出されてしまう恐れがない利点が得られるものである。
【図面の簡単な説明】
【０００８】
【図１】図１は、本発明の実施例１のシャープペンシルにおける筆記状態を示す断面図である。（実施例１）
【図２】図２は、図１の選択リングと駒の関係を示す展開図である。（実施例１）
【図３】図３は、図１のＡ−Ａ線を示す拡大断面図である。（実施例１）
【図４】図４は、本発明の実施例１のシャープペンシルにおける残芯排出状態を示す主要部断面図である。（実施例１）
【図５】図５は、図４の選択リングと駒の関係を示す展開図である。（実施例１）
【図６】図６は、図４の残芯排出状態を示す主要部拡大断面図である。（実施例１）
【図７】図７は、本発明の実施例２のシャープペンシルにおける筆記状態を示す断面図である。（実施例２）
【図８】図８は、図７の主要部底面図である。（実施例２）
【図９】図９は、本発明の実施例３のシャープペンシルにおける筆記状態を示す主要部断面図である。（実施例３）
【図１０】図１０は、本発明の実施例３のシャープペンシルにおける残芯排出状態を示す主要部断面図である。（実施例３）
【発明を実施するための形態】
【０００９】
チャックに保持されなくなった短い残芯を簡単に排出でき、かつ、芯ホルダーの耐久性を向上するシャープペンシルを実現した。
【実施例１】
【００１０】
以下、図１、図２、図３、図４、図５及び図６に基づいて本発明における実施例１のシャープペンシルを説明する。また、図１の左側を前方とし、右側を後方とする。先ず、金属製のガイドパイプ１の後部に合成樹脂製の芯ホルダー２を圧入固着する。この芯ホルダー２に外鍔２Ａを形成し、かつ、長手方向後方に伸びた弾性片２Ｂを円周方向等間隔に３個形成する。更に、合成樹脂製の中駒３の前端に前部内鍔３Ａを形成し、かつ、中駒３の前部を切溝により半割に形成する。また、中駒３の後端に形成した後部内鍔３Ｂに、後部内鍔３Ｂから前方に突出するように金属製の拡開パイプ４を固着する。前記中駒３と拡開パイプ４により拡開部材を構成する。この中駒３の前部内鍔３Ａを芯ホルダー２の外鍔２Ａに係止するとともに、芯ホルダー２の外鍔２Ａと中駒３の後部内鍔３Ｂとの間に取付荷重が５０ｇ程度のスプリング５を取付け、中駒３を長手方向後方に付勢する。前記ガイドパイプ１、芯ホルダー２、中駒３、拡開パイプ４及びスプリング５を先部材６内に長手方向に摺動可能に内蔵する。
【００１１】
また、前部が複数に分割されたチャック７の頭部７Ａに締具８を外嵌し、この締具８を連結具９の凹溝９Ａ内に長手方向に摺動可能に遊嵌する。前記チャック７の後部に芯タンク１０を圧入固着し、この芯タンク１０の前端と連結具９の内鍔９Ｂの間に取付荷重が３００ｇ程度のチャックスプリング１１を取付け、チャック７及び芯タンク１０を長手方向後方に付勢する。長手方向後方に付勢されたチャック７の頭部７Ａが締具８に押圧されチャック７が閉じられて芯１２を強く保持する。また、締具８は連結具９の内鍔９Ｂに押し付けられる。芯タンク１０内には予備の芯１２が複数収納され、機構部が構成される。
【００１２】
更に、軸筒１３の中間部に長手方向に適宜伸びた開口溝１３Ａを形成し、この軸筒１３の後方から前記機構部を挿入し、軸筒１３の開口溝１３Ａを挿通した駒１４が連結具９の係止孔９Ｃに圧入固着する。この駒１４の上端１４Ａは図３に示したように下端より幅が大きく形成される。また、軸筒１３の内段１３Ｂと連結具９の外段９Ｄとの間に取付荷重が２００ｇ程度のリターンスプリング１５を取付け、機構部を長手方向後方に付勢するとともに、駒１４を軸筒１３の開口溝１３Ａの後端縁に当接させる。更に、円筒状の選択リング１６の内面には、円周方向に伸びた固定溝１６Ａと長手方向に伸びた摺動溝１６ＢからなるＬ字状の溝が形成され、この溝に前記駒１４の上部が係合される。また、選択リング１６は軸筒１３に回動可能でかつ長手方向には移動不能に取り付けられる。この軸筒１３の前部に前記先部材６を着脱可能に螺合し、先部材６と選択リング１６の間にゴム製のグリップ１７を設けてノック式のシャープペンシルを構成する。
【００１３】
上記シャープペンシルは、通常、連結具９に固定された駒１４を選択リング１６の固定溝１６Ａに係合させ、図１及び図２に示した筆記状態にして筆記を行う。そして、芯１２を繰り出す場合には、芯タンク１０を押圧することによりチャック７を前進させ芯１２を繰り出す。この時、連結具９は駒１４が選択リング１６の固定溝１６Ａに係合されて固定されるため、連結具９は前方に移動しない。したがって、チャック７とともに締具８が連結具９の凹溝９Ａ内を前進して芯１２が繰り出される。
【００１４】
また、筆記を行うことによって芯１２が摩耗し、芯１２がチャック７で保持できない長さ（残芯）になった場合には、選択リング１６を回動させて駒１４を選択リング１６の摺動溝１６Ｂに係合させる。この状態で芯タンク１０を押圧すると、リターンスプリング１５の取付荷重よりチャックスプリング１１の取付荷重が大きいためにリターンスプリング１５が圧縮されて機構部が前進する。この時、駒１４は摺動溝１６Ｂ内を前進する。そして、チャック７の前端が中駒３の後端に当接し、中駒３を前進させる。すると、中駒３とともに拡開パイプ４が前進し、拡開パイプ４が芯ホルダー２の弾性片２Ｂに挿入され、弾性片２Ｂを拡開して図４及び図５に示した残芯排出状態にする。そして、筆記具の先端を下に向けると、図６に示したように弾性片２Ｂに保持されていた残芯がガイドパイプ１の先端より落下して排出される。この時、チャック７は閉じられているために、芯タンク１０内の芯１２がチャック７を挿通して落下してしまう恐れは全くない。残芯を排出した後は、再び選択リング１６を回動して駒１４を固定溝１６Ａに係合すれば、図１及び図２に示した筆記状態となる。この状態で芯タンク１０を押圧すれば、芯ホルダー２内に残芯が残っていないのですぐに次の芯１２が追従されて筆記を行うことができる。
【実施例２】
【００１５】
以下、図７及び図８に基づいて本発明における実施例２のシャープペンシルを説明する。尚、図１と同一部材は同一の符号を付してその説明を省略する。軸筒１１３の後部に円周方向に伸びた固定溝１１３Ｃと長手方向に伸びた摺動溝１１３ＤからなるＬ字状の溝を形成する。また、機構部を構成する連結具１０９は軸筒１１３の後部まで伸びて形成され、その連結具１０９の後部に後方に伸びた弾性片１０９Ｅを形成し、この弾性片１０９Ｅに突部１０９Ｆを形成する。
【００１６】
前記軸筒１１３の後方から機構部を挿入し、連結具１０９の弾性片１０９Ｅを内方に撓ませて突部１０９Ｆを軸筒１１３の溝に係合させるとともに突部１０９Ｆの一部を軸筒１１３より突出させてノック式のシャープペンシルを構成する。
【００１７】
上記シャープペンシルは、通常、連結具１０９の突部１０９Ｆが軸筒１１３の固定溝１１３Ｃに係合させ、図７及び図８に示した筆記状態にして筆記を行う。そして、芯１２を繰り出す場合には、芯タンク１１０を押圧することによりチャック７を前進させ芯１２を繰り出す。この時、連結具１０９は突部１０９Ｆが軸筒１１３の固定溝１１３Ｃに係合されて固定されるため、連結具１０９は前方に移動しない。したがって、チャック７とともに締具８が連結具１０９の凹溝１０９Ａ内を前進して芯１２が繰り出される。
【００１８】
また、筆記を行うことによって芯１２が摩耗し、芯１２がチャック７で保持できない長さになった場合には、連結具１０９の突部１０９Ｆを操作して突部１０９Ｆを軸筒１１３の摺動溝１１３Ｄに係合させる。この状態で芯タンク１１０を押圧すると、突部１０９Ｆが摺動溝１１３Ｄ内を前進するとともにチャック７が閉じた状態で機構部が前進し、実施例１と同様に残芯が排出される。残芯を排出した後は、再び連結具１０９の突部１０９Ｆを操作して突部１０９Ｆを軸筒１１３の固定溝１１３Ｃに係合すれば、図７及び図８に示した筆記状態となる。
【実施例３】
【００１９】
以下、図９及び図１０に基づいて本発明における実施例３のシャープペンシルを説明する。尚、図１と同一部材は同一の符号を付してその説明を省略する。拡開部材を構成する中駒１０３の後端に後部内鍔１０３Ｂを成形し、かつ、中駒１０３の後端に外鍔１０３Ｃを形成する。前記後部内鍔１０３Ｂに拡開パイプ４を固着する。この中駒１０３と拡開パイプ４により拡開部材を構成する。更に、ガイドパイプ１、芯ホルダー２、中駒１０３、拡開パイプ４及びスプリング５を先部材１０６内に長手方向に摺動可能に内蔵する。また、連結具２０９の前端を前記中駒１０３の外鍔１０３Ｃと当接可能に構成してノック式のシャープペンシルを構成する。
【００２０】
上記シャープペンシルは、通常、連結具２０９に固定された駒１４を選択リング１６の固定溝１６Ａに係合させ、図９に示した筆記状態にして筆記を行う。そして、芯１２が摩耗してチャック７で保持できない長さになった場合には、選択リング１６を回動させて駒１４を選択リング１６の摺動溝１６Ｂに係合させる。この状態で芯タンク１０を押圧すると、リターンスプリング１５が圧縮されて機構部が前進する。そして、連結具２０９の前端が中駒１０３の外鍔１０３Ｃに当接し、中駒１０３を前進させる。すると、中駒１０３とともに拡開パイプ４が前進し、拡開パイプ４が芯ホルダー２の弾性片２Ｂに挿入され、弾性片２Ｂを拡開して図１０に示した残芯排出状態にする。すると、弾性片２Ｂに保持されていた残芯がガイドパイプ１の先端より落下して排出される。この時、チャック７は閉じられているために、芯タンク１０内の芯１２がチャック７を挿通して落下してしまう恐れは全くない。残芯を排出した後は、再び選択リング１６を回動して駒１４を固定溝１６Ａに係合すれば、図９に示した筆記状態になる。
【００２１】
尚、本発明は上記実施例に限定されるものではなく、軸筒、先部材、連結具、芯ホルダー、中駒、ガイドパイプ、芯タンク、選択リング、駒といった部材は複数の部材を固着して一体化し構成しても良い。また、連結具と駒を一部品で一体に構成することも可能である。更に、連結具に一体に形成された突部は、別部品を固着して一体化し構成することも可能である。
【産業上の利用可能性】
【００２２】
チャックに保持されなくなった短い残芯を簡単に排出でき、かつ、残芯を排出する時に次の芯が排出してしまう恐れがないシャープペンシルに適用できる。
【符号の説明】
【００２３】
２    芯ホルダー
２Ｂ    芯ホルダー２の弾性片
５    スプリング
６    先部材
７    チャック
８    締具
９    連結具
１１    チャックスプリング
１２    芯
１５    リターンスプリング
１０６    先部材
１０９    連結具
２０９    連結具
【図１】
0005489902.tif 000002
【図２】
0005489902.tif 000003
【図３】
0005489902.tif 000004
【図４】
0005489902.tif 000005
【図５】
0005489902.tif 000006
【図６】
0005489902.tif 000007
【図７】
0005489902.tif 000008
【図８】
0005489902.tif 000009
【図９】
0005489902.tif 000010
【図１０】
0005489902.tif 000011